(57)【要約】ワイヤレス通信エンティティにおけるステータス・レポート・トリガのための方法が開示される。方法は、送信のために、複数のデータ・ユニット・セグメントに再セグメント化された元のデータユニットの一部であるデータ・ユニット・セグメントを受信すること、次に、データ・ユニット・セグメントが複数のデータ・ユニット・セグメントの最終セグメントであることを示す最終セグメントフラグを含むと判断すること、さらに、データ・ユニット・セグメントが最終セグメントであることを示す最終セグメントフラグを含むと判断することに応答して、再セグメント化されたデータユニットのステータスレポートを含んでいるステータスレポートを送信することを含む。
2010541400.tif 000002
【特許請求の範囲】
【請求項１】
ワイヤレス通信エンティティにおけるステータス・レポート・トリガのための方法であって、
データ・ユニット・セグメントを受信することであって、該データ・ユニット・セグメントは、受信機への送信のために、複数のデータ・ユニット・セグメントに再セグメント化された元のデータユニットの一部である、前記受信すること、
前記データ・ユニット・セグメントが前記複数のデータ・ユニット・セグメントの最終セグメントであることを示す最終セグメントフラグ（ＬＳＦ）を前記データ・ユニット・セグメントが含むと判断すること、
前記データ・ユニット・セグメントが最終セグメントであることを示す最終セグメントフラグを前記データ・ユニット・セグメントが含むと判断することに応答して、前記再セグメント化されたデータユニットのステータスレポートを含んでいるステータスレポートを送信すること
を含む方法。
【請求項２】
前記データ・ユニット・セグメントの長さが、前記データ・ユニット・セグメントの前記受信以前には前記受信機に知られていない、請求項１に記載の方法。
【請求項３】
前記再セグメント化されたデータユニットのステータスレポートを送信することが、
前記複数のデータ・ユニット・セグメントからの少なくとも１つの欠落データ・ユニット・セグメントが存在すると判断すること、
タイマが期限切れになったと判断すること
に応答してステータスレポートを送信すること
を含む、請求項１に記載の方法。
【請求項４】
時間を表すタイマの値を前記基地局から受信することをさらに含む、請求項３に記載の方法。
【請求項５】
ステータス禁止タイマのステータスを無視することを含む、請求項１に記載の方法。
【請求項６】
ステータス禁止タイマが期限切れになっていないと判断すること、前記ステータス禁止タイマの期限切れ後にステータスレポートを送信することを含む、請求項１に記載の方法。
【請求項７】
前記ステータスレポートがセグメントＩＤを含む、請求項１に記載の方法。
【請求項８】
セグメントＩＤが前記データ・ユニット・セグメントのセグメントオフセットである、請求項７に記載の方法。
【請求項９】
前記ＬＳＦを有する前記受信されたセグメントのセグメントステータスを、送信前に前記ステータスレポートに挿入する、請求項１に記載の方法。
【請求項１０】
前記再セグメント化された元のデータユニットのすべてのセグメントが受信されたと判断すること、
前記元のデータユニットのシーケンス番号が受信されたことを示すステータスレポートを送信すること
をさらに含む、請求項１に記載の方法。
【請求項１１】
ワイヤレス通信エンティティにおけるステータス・レポート・トリガのための方法であって、
最終セグメントフラグ（ＬＳＦ）を含む再セグメント化されたデータ・ユニット・セグメントを受信すること、
前記ＬＳＦを有する前記セグメントに応答して、セグメントＩＤおよび関連付けられたステータスを備えるデータ・ユニット・セグメント・ステータスレポートを送信すること
を含む方法。
【請求項１２】
前記関連付けられたステータスは、前記識別されたセグメントが欠落しているということである、請求項１１に記載の方法。
【請求項１３】
前記セグメントＩＤが、前記受信されたセグメントを識別する、請求項１１に記載の方法。
【請求項１４】
前記セグメントＩＤが、受信されていないセグメントを識別する、請求項１１に記載の方法。
【請求項１５】
ステータスレポートを生成するための方法であって、
パケット・データ・ユニットを受信することであって、プロトコル・データ・ユニット（ＰＤＵ）は、前記受信されたＰＤＵが複数のセグメントの最終セグメントであることを示す最終セグメント・フィールド・インジケータを有する、前記パケット・データ・ユニットを受信すること、
前記最終セグメント・フィールド・インジケータを受信することに応答してステータスレポートを生成すること
を含む方法であって、前記ステータスレポートは、セグメント識別子と、識別されたセグメントのステータスとを含み、前記識別されたセグメントは、前記ＰＤＵにおいて受信されたセグメントである、方法。
【請求項１６】
ワイヤレス通信エンティティにおけるステータス・レポート・トリガのための方法であって、
プロトコル・データ・ユニット・セグメントを受信することであって、該データ・ユニット・セグメントは、受信機への送信のために、複数のプロトコル・データ・ユニット・セグメントに再セグメント化された元のプロトコル・データ・ユニットの一部である、前記受信すること、
前記再セグメント化されたプロトコル・データ・ユニットのステータスレポートを含んでいるステータスレポートを送信すること
を含む方法。
【請求項１７】
前記データ・ユニット・セグメントを受信することが、前記受信機への送信のために再セグメント化された元のデータユニットの一部であるデータ・ユニット・セグメントを受信することをさらに含み、前記複数のデータ・ユニット・セグメントの各データ・ユニット・セグメントの長さが可変である、請求項１６に記載の方法。
【請求項１８】
前記データ・ユニット・セグメントを受信することが、前記データ・ユニット・セグメントが前記セグメントが前記再セグメント化された元のデータユニットの最終セグメントであることを示す最終セグメントフラグを含むことをさらに備える、請求項１６に記載の方法。
【請求項１９】
ステータス禁止タイマのステータスを無視することを含む、請求項１に記載の方法。
【請求項２０】
前記元の再セグメント化されたデータユニットの最終セグメントであるという表示を有するデータ・ユニット・セグメントが欠落していると判断することを含む、請求項１に記載の方法。
【請求項２１】
前記データ・ユニット・セグメントを受信することが、「ＰＤＵセグメント」を示すヘッダにおいて表示を有するデータ・ユニット・セグメントを受信することを含む、請求項１６に記載の方法。
【請求項２２】
前記ステータスレポートを含んでいるステータスレポートを送信することが、
前記データ・ユニット・セグメントのヘッダが「ＰＤＵセグメント」を示すデータ・ユニット・セグメントを受信することに応答してタイマを開始すること、
「最終セグメントフラグ」表示を有する関連付けられたデータ・ユニット・セグメントが前記タイマの期限切れ前に受信されていない場合に、前記タイマの期限切れに関するステータスレポートを送信すること
を含む、請求項１６に記載の方法。
【請求項２３】
前記ステータスレポートがセグメントＩＤを含む、請求項１６に記載の方法。
【請求項２４】
セグメントＩＤが前記データ・ユニット・セグメントのセグメントオフセットである、請求項２３に記載の方法。
【請求項２５】
ＬＳＦを有する前記受信されたセグメントのセグメントステータスを、送信前に前記レポートに挿入する、請求項１６に記載の方法。
【請求項２６】
前記再セグメント化されたデータユニットのすべてのセグメントが受信されたと判断すること、
前記元のデータユニットのシーケンス番号が正常に受信されたことを示すステータスレポートを送信すること
をさらに含み、個々のセグメントを識別するのに前記ステータスレポートが必要でない、請求項１６に記載の方法。
【発明の詳細な説明】
【技術分野】
【０００１】
本開示は一般にワイヤレス通信に関し、より詳細には、受信されたプロトコル・データ・ユニットの方法のためのステータス・レポート・トリガに関する。
【背景技術】
【０００２】
３ＧＰＰ仕様においては、無線リンク制御（ｒａｄｉｏ  ｌｉｎｋ  ｃｏｎｔｒｏｌ：ＲＬＣ）プロトコル層が、無線インタフェースを介したプロトコル・データ・ユニット（ｐｒｏｔｏｃｏｌ  ｄａｔａ  ｕｎｉｔ：ＰＤＵ）の送達を担う。信頼できるＰＤＵ送達を確実に行うために、肯定応答モードを使用してもよい。このモードでは、受信機が、ＰＤＵの受信成功を示すステータスレポートを送信する。ＰＤＵが受信されたことを示す受信機からのステータスレポートをトリガするために、ポーリングビットをＲＬＣ  ＰＤＵヘッダに含めることは周知のとおりである。別のソリューションでは、ＲＬＣ  ＰＤＵヘッダにポーリングビットが含まれていないこともあるが、受信機に送信される別個のポーリング制御ユニットによってステータスレポートがトリガされる。
【０００３】
一部のワイヤレス通信プロトコルでは、ＰＤＵが最初の送信の後に正常に受信されなかった場合に、ＲＬＣ層がそのＰＤＵを再セグメント化するよう提案されてきた。同じＰＤＵを再送信するときに、ＰＤＵ全体が、再セグメント化されたＰＤＵセグメントとも称される個々のセグメントで送信されてもよい。例えば、サイズが１０００バイトの元のＰＤＵは、３５０バイト、４００バイト、および２５０バイトという３つのＰＤＵセグメントに再セグメント化することができる。３セグメントというのは任意の数であり、例として使用されているにすぎない。新たに生成されたＰＤＵセグメントの場合には、送信後にステータスレポートが必要とされる。さらに、送信ウィンドウを広げ（ａｄｖａｎｃｅｄ）、受信機バッファを新しいデータ用に解放できるように、ＰＤＵの送信機がＰＤＵの受信ステータスを把握しておくことにはメリットがある。その手法の１つは、ポーリングビットを再セグメント化されているデータユニットに含めることである。ただし、一部のＲＬＣプロトコルでは、ステータスレポートが必要か不要かの表示（ｉｎｄｉｃａｔｉｏｎ）によってビット値が切り替わる場合には、送信されるすべてのデータユニットにポーリングビットを含めることが非効率的である可能性がある。さらに、プロトコルの全体構成を理由に、ポーリング禁止タイマが稼働しており、結果的にポーリングビットの設定が妨げられる場合もある。あるいは、ステータス禁止タイマが稼働しており、それによってステータスレポートの送信が妨げられる場合もある。ただし、再セグメント化されたデータユニットの最終セグメントが受信された後、速やかにステータスレポートを受信することには大きなメリットがある。例えば、これによって送信機が送信ウィンドウを広げることができ、その結果、受信機へのさらなるパケット通信が可能となり、最終的にユーザの利便性を改善できる場合がある。従って、効率的なメカニズムを特定して、再セグメント化されたＰＤＵの送信後にステータスレポートをトリガすることにはメリットがある。
【図面の簡単な説明】
【０００４】
【図１】再セグメント化されたプロトコル・データ・ユニットの一実施形態を表す図である。
【図２】ステータスレポートのトリガの一実施形態を表す図である。
【図３】ステータスレポートのトリガの別の実施形態を表す図である。
【発明を実施するための形態】
【０００５】
本開示の各種態様、特徴、および効果は、以下に示す本開示の詳細な説明を添付図面と共に慎重に考慮すれば、当業者にとって十分に明らかになるであろう。図面は、明瞭化のために単純化された可能性があり、必ずしも正規のスケールで描かれているとは限らない。
【０００６】
図１は、３ＧＰＰ通信システムで使用されるプロトコル・データ・ユニット（ＰＤＵ）１００の一実施形態を表す。ＰＤＵは、再セグメント化されたＰＤＵ  ２００（すなわちデータ・ユニット・セグメント）に再セグメント化されている。本実施形態において、ＰＤＵ  １００は、第１のＰＤＵセグメント１０１、第２のＰＤＵセグメント１０２、および第３のＰＤＵセグメント１０３という３つのセグメントに再セグメント化されている。再セグメント化された３つのＰＤＵセグメント（１０１、１０２、および１０３）はいずれも、最終セグメント・フラグ・フィールド（ＬＳＦ）を有する。再セグメント化されたＰＤＵの最終セグメントであるセグメント、つまり本実施形態における第３のセグメントは、最終セグメントであることを示す「１」をＬＳＦに有する。残りのセグメント、つまり第１のセグメント１０１と第２のセグメント１０２とは、ＬＳＦに「０」を有する。再セグメント化されたデータユニットの最終セグメント内に含まれるＬＳＦは、再セグメント化されたデータユニットのステータスをレポートする目的で最適化される新型のステータスレポートをトリガする。
【０００７】
ＰＤＵ送信機、つまり一実施形態における基地局は、さまざまな理由でＰＤＵ  １００を再セグメント化することにしてもよい。一実施形態において、ＰＤＵ  １００は、以前に失敗したＰＤＵ  １００の送信試行に応答して再セグメント化されている。別の実施形態において、ＰＤＵ  １００は、無線条件または無線リソース割り当てストラテジの変更のために再セグメント化されている。再セグメント化されたＰＤＵ  ２００の各セグメントのサイズは同じである場合もあれば、セグメントによって異なる場合もある。再セグメント化を実行する際に、送信機は、再セグメント化されたＰＤＵの最終セグメントに「最終セグメントフラグ」表示（ｉｎｄｉｃａｔｉｏｎ）を含める。このフラグは、このＰＤＵセグメントが元のＰＤＵの最終セグメントであるかどうかを示す。例えば、３５０バイト、４００バイト、および２５０バイトにそれぞれ再セグメント化された先述の１０００バイトＰＤＵの例の場合、３５０バイトのセグメント及び４００バイトのセグメントの「最終セグメントフラグ」は設定されず、フラグは最終セグメントである２５０バイトのＰＤＵセグメントに対して設定される。
【０００８】
一実施形態において、基地局は、通信システム用の３ＧＰＰ準拠基地局である。本実施形態において、基地局は、ユーザ機器（ＵＥ）とも称されるワイヤレス通信装置と通信する。基地局とＵＥとは、データを交換する。交換するデータは、音声通信データやユーザ間で交換されるデータなどのトラフィックデータ、およびトラフィックデータと関連付けられている制御データである可能性がある。
【０００９】
ワイヤレス通信装置で、通信システムの基地局に対する再セグメント化されたプロトコル・データ・ユニット（ＰＤＵ）のステータスレポートの送信をトリガする方法が、図２に示されている。本実施形態において、ワイヤレス通信装置は、基地局によって再セグメント化されて（再セグメント化されたＰＤＵ）送信されたＰＤＵ  ２０２を受信する。ワイヤレス通信装置は、ＰＤＵセグメントの１つが、正の数（すなわち「１」）に設定されている最終セグメントフィールド（ＬＳＦ）を含むと判断する（２０４）。この値は、セグメントが再セグメント化されたＰＤＵの最終セグメントであることを示す。ＬＳＦフラグが設定された受信済みの再セグメント化されたＰＤＵに応答して、ワイヤレス通信装置はステータスレポートを送信する（２０６）。一実施形態において、このレポートは、セグメントＩＤ（すなわち、総セグメントのうちのセグメントインデックス番号、または元のＰＤＵに対するセグメントオフセット）と、識別されたセグメントの関連ステータスとを表す。別の実施形態において、ステータスレポートは、欠落セグメントを識別する。
【００１０】
再セグメント化されたＰＤＵは、オーバーヘッドを減らすため、ポーリングビットを含んではならなない。ポーリングビットの目的は、受信ワイヤレス通信装置によってステータスレポートをトリガすることである。ポーリングビットがＰＤＵセグメントヘッダに含まれる場合であっても、ポーリング禁止タイマが期限切れになっていないために送信機がポーリングビットを設定できない場合があり、このようにして送信機によるポーリングビットの設定を禁止している。ただし、３ＧＰＰシステムでは、再セグメント化されたＰＤＵの最終セグメントが、最終セグメント・フィールド・インジケータを含んでおり、これが再セグメント化されたＰＤＵの最終セグメントであることを示す。
【００１１】
図３は、ステータス禁止タイマがワイヤレス通信装置（すなわち受信装置）で起動している場合のステータスレポートをトリガするための方法を示す。ステータス禁止タイマが稼働中で、期限切れになっておらず（３０６）、受信機がＬＳＦを含むＲＬＣ  ＰＤＵ  ３０２セグメントを受信し、これが最終セグメントである（すなわち、「１」に設定されている）（３０４）ことを示す一実施形態において、受信機は、稼働中のタイマを無視し（３０８）、再セグメント化されたＰＤＵのステータスを含んでいるステータスレポートを生成して送信する（３１０）。
【００１２】
好適な実施形態においては、ＬＳＦを含んでいるセグメントを受信することに応答して、「ＰＤＵセグメントステータス」という新型のステータスレポートが送信される。このステータスレポートは、セグメントＩＤと、関連付けられたステータスとを含んでいる。別の実施形態では、再セグメント化されたＰＤＵの欠落セグメントのセグメントＩＤがステータスレポートに含まれる。ステータスレポートの送信は、ＬＳＦを含んでいるセグメントに対して暗黙的に肯定応答する。
【００１３】
ＬＳＦを含んでいるセグメントの受信が完全なＰＤＵの正常受信という結果になる一実施形態において、受信機は、ＰＤＵに対する肯定応答を示すだけの最適化されたステータスレポートを送信することができる。この場合、ステータスレポートは、再セグメント化されたＰＤＵの各セグメントに対して個別に肯定応答するのではなく、ＰＤＵ全体のステータスレポートを送信する。その方法は、元のＰＤＵのＳＮを含めることによって元のＰＤＵのステータスレポートを送信するだけである。
【００１４】
一実施形態において、受信機は、タイマが期限切れになった場合に限り、最終セグメントを示す最終セグメントフラグを含むＰＤＵセグメントを受信することに応答してステータスレポートを送信する。一実施形態において、このタイマは基地局によって構成され、欠落セグメントのハイブリッドＡＲＱ再送信が完了するのを許容するように設定されており、これによって、尚早の欠落セグメントレポートが送信機に送信されて無用な再送信を招くことがないようにしている。ステータスレポートは、欠落セグメントが存在すると受信機が判断した場合に限り遅延する。
【００１５】
別の実施形態において、受信ユニットはタイマを備えた構成になっている。受信機は、、再セグメント化されたプロトコル・データ・ユニットの第１のデータ・ユニット・セグメントを受信したときにタイマを起動する。このデータ・ユニット・セグメントのバイトオフセットがゼロであるとは必ずしも限らない。「最終セグメントフラグ」を有するこの再セグメント化されたプロトコル・データ・ユニットのデータ・ユニット・セグメントがタイマの期限切れ前に受信されないと、受信機は送信機にステータスレポートを送信する。これにより、プロトコル・データ・ユニットを再セグメント化するという送信機の判断から一定の時間以内に確実にステータスレポートが送信される。この場合、ＬＳＦ表示を有するデータ・ユニット・セグメントが欠落していれば、タイマにより、同様にステータスレポートが送信機に送信されることが保証される。
【００１６】
以上、本開示およびその最良の形態を、所有権を確立し、当業者が同じものを製作し使用することが可能になる方法で記載してきたが、本開示にて開示される例示的な実施形態の等価物があり、本発明の範囲および技術思想を逸脱しない範囲でそれに対する修正および改変が施されてもよく、それは例示的な実施形態によってではなく、添付の請求の範囲によって制限されるべきであることは理解されよう。
【図１】
2010541400.tif 000003
【図２】
2010541400.tif 000004
【図３】
2010541400.tif 000005
【国際調査報告】
2010541400.tif 000006
2010541400.tif 000007